(57)【要約】【課題】犬を安定した姿勢で前足を上げさせることができ、その結果犬の身震いを防止することができ、且つ、犬の洗浄を行ない易いペット洗浄用補助器具を提供する。また、収納スペースの小さなペット洗浄用補助器具を提供する。【解決手段】２つ折り可能となった洗い台１２の上にペット支持構造体１３を立てている。ペット支持構造体１３は支柱２４の上端間に姿勢強制具２３を横架したものであり、姿勢強制具２３の上にペットＰの胸部を載せ、ペットＰの前足を中に浮かせ、拘束具３０によってペットＰが動かないように拘束する。【選択図】図３
0003123578.tif 000002
【実用新案登録請求の範囲】
【請求項１】
ペットの胸部を下方から支持してペットの前足を宙に浮かせるための姿勢強制具を支柱の上端部に設けたことを特徴とするペット洗浄用補助器具。
【請求項２】
ペットを前記姿勢強制具の上で拘束するための拘束具を備えた、請求項１に記載のペット洗浄用補助器具。
【請求項３】
前記姿勢強制具を高さ調整可能としたことを特徴とする、請求項１又は２に記載のペット洗浄用補助器具。
【請求項４】
ペットの洗い場となる洗い台の上に前記支柱を立てて前記姿勢強制具を支持させたことを特徴とする、請求項１、２又は３に記載のペット洗浄用補助器具。
【請求項５】
前記洗い台の四周を、通水性を有するフレームで囲んだことを特徴とする、請求項４に記載のペット洗浄用補助器具。
【請求項６】
前記洗い台を折り畳み可能に構成し、前記姿勢強制具及び前記支柱を折り畳んだ洗い台の中に収納できるようにしたことを特徴とする、請求項４又は５に記載のペット洗浄用補助器具。
【請求項７】
前記支柱の下端部に、浴槽の縁に固定するための浴槽取付部を設けたことを特徴とする、請求項１、２又は３に記載のペット洗浄用補助器具。
【考案の詳細な説明】
【技術分野】
【０００１】
本考案は、家庭において犬や猫等のペットを洗う際に洗浄作業を容易にするためのペット洗浄用補助器具に関する。
【背景技術】
【０００２】
家庭において犬を洗う場合、普通には、浴室や屋外において犬を四つ脚で立たせたまま毛に洗剤をつけてブラッシングし、最後にシャワーなどで洗剤を洗い落とす。しかし、犬によってはじっと立っていないで逃げたりして洗浄作業を行えない場合がある。また、なによりも犬が身震いして水切りをすると、犬に付着していた水や洗剤が周囲に飛散し、犬を洗っている飼い主が水浸しになったり、周囲を掃除しなければならなくなったりする不都合があった。
【０００３】
身震いするとき、犬は前足を軸として踏ん張って全身を震わせるので、前足を持ち上げてやれば犬は身震いをすることができない。登録実用新案第３０２７２０７号公報（特許文献１）に開示されたペット洗浄用補助器具は、このような経験則に基づくものであって、犬に装着した胴輪につないだ吊り下げ帯の他端を吊り下げフレーム本体に固定し、ウインチで巻き上げることによって犬の前足を地面や床から浮かせるようにしている。
【０００４】
このペット洗浄用補助器具を用いれば、犬は後足だけで立つことになり、前足を踏ん張ることができないので、身震いをすることができず、また、その位置から逃げ出すこともできない。
【０００５】
しかしながら、この補助器具を用いた場合には、犬は上方から吊下げられていて後足だけで立っているので、犬が不安定となってゆらゆらと動き易く、また吊り下げ帯が邪魔になり、犬の洗浄やブラッシングなどを行ないにくかった。また、犬を上から吊り下げる構造となっているので、吊り下げフレーム本体のような器具が必要となり、ペット洗浄用補助器具が大型化して大きな収納スペースが必要となる欠点があった。
【０００６】
【特許文献１】登録実用新案第３０２７２０７号公報
【考案の開示】
【考案が解決しようとする課題】
【０００７】
本考案は上記のような技術的課題に鑑みてなされたものであり、その目的とするところは、犬を安定した姿勢で前足を上げさせることができ、その結果犬の身震いを防止することができ、且つ、犬の洗浄を行ない易いペット洗浄用補助器具を提供することにある。また、本考案の別な目的は、収納スペースの小さなペット洗浄用補助器具を提供することにある。
【課題を解決するための手段】
【０００８】
本考案の請求項１にかかるペット洗浄用補助器具は、ペットの胸部を下方から支持してペットの前足を宙に浮かせるための姿勢強制具を支柱の上端部に設けたことを特徴としている。請求項１のペット補助器具によれば、姿勢強制具によりペットの胸部を下方から支持してペットの前足を宙に浮かせることができるので、ペットの毛を水や洗剤で濡らして洗浄する場合でも、ペットは前足が宙に浮いているので身震いすることができない。よって、ペットの身震いによって周囲に水や洗剤が飛散させられることがなく、特に飼い主が水浸しになるのを避けることができる。
【０００９】
しかも、本考案の請求項１にかかるペット洗浄用補助器具では、姿勢強制具を支柱の上端部に設けているので、上方からペットを吊り下げる従来例のペット洗浄用補助器具のようにペットが揺れて不安定になることがなく、ペットの洗浄作業を行ない易い。さらには、ペット洗浄用補助器具が従来例のように大型になる恐れがなく、収納スペースを小さくすることができる。
【００１０】
本考案の請求項２にかかる実施態様は、請求項１に記載のペット洗浄用補助器具において、ペットを前記姿勢強制具の上で拘束するための拘束具を備えたものである。かかる実施態様によれば、ペットを姿勢強制具に拘束することができるので、ペットが動いたり、逃げたりできず、ペットの洗浄作業がより容易になる。
【００１１】
本考案の請求項３にかかる実施態様は、請求項１又は２に記載のペット洗浄用補助器具において、前記姿勢強制具を高さ調整可能としたものである。かかる実施態様によれば、ペットの大きさに応じて姿勢強制具の高さを調整することができる。
【００１２】
本考案の請求項４にかかる実施態様は、請求項１、２又は３に記載のペット洗浄用補助器具において、ペットの洗い場となる洗い台の上に前記支柱を立てて前記姿勢強制具を支持させている。かかる実施態様によれば、前記支柱と姿勢強制具を洗い台の上に立てることができるので、姿勢強制具を安定させることができる。
【００１３】
本考案の請求項５にかかる実施態様は、請求項４に記載のペット洗浄用補助器具において、前記洗い台の四周を、通水性を有するフレームで囲んだものである。かかる実施態様によれば、洗い台の四周をフレームで囲んでいるにも拘わらず、フレームに通水性を持たせているので、洗い台の上の水はフレームを通って洗い台の外へ排水される。そのとき、ペットの抜け毛はフレームに引っ掛かるので、ペット洗浄用補助器具の外へペットの抜け毛が流れ出にくくなり、ペット洗浄用補助器具の周囲などが抜け毛で汚れにくくなる。
【００１４】
本考案の請求項６にかかる実施態様は、請求項４又は５に記載のペット洗浄用補助器具において、前記洗い台を折り畳み可能に構成し、前記姿勢強制具及び前記支柱を折り畳んだ洗い台の中に収納できるようにしている。かかる実施態様によれば、洗い台を折り畳んで姿勢強制具や支柱をその中に収納できるので、使用しない場合には、ペット洗浄用補助器具をコンパクトに畳んで収納することができる。
【００１５】
本考案の請求項７にかかる実施態様は、請求項１、２又は３に記載のペット洗浄用補助器具において、前記支柱の下端部に、浴槽の縁に固定するための浴槽取付部を設けたものである。かかる実施態様によれば、姿勢強制具を支持する支柱を浴槽の縁に取付けることができるので、浴室でペットを洗浄するのに適しており、また、ペット洗浄用補助器具をコンパクトにすることができる。
【考案を実施するための最良の形態】
【００１６】
以下、本考案の実施例を図面に従って具体的に説明する。
【実施例１】
【００１７】
図１は本考案の実施例１によるペット洗浄用補助器具１１を示す平面図である。図２はペット洗浄用補助器具１１を組立てた状態の正面側からの断面図、図３はその側面側からの断面図である。ペット洗浄用補助器具１１は、洗い台１２及びペット支持構造体１３より成り、洗い台１２とペット支持構造体１３は分離可能となっている。
【００１８】
洗い台１２は、２枚の平板状をした台板１４を有しており、台板１４の周囲３辺には通水性を有するフレーム１５が立設されている。両台板１４どうし、あるいは両台板１４のフレーム１５どうしは、蝶番１７によって回動自在に連結されており、洗い台１２は２つに折り畳み可能となっている。そして、洗い台１２を展開した状態では、洗い台１２の上面四周がフレーム１５によって囲まれている。
【００１９】
台板１４はペットを立たせて洗浄する洗い場となるものであるので、ペットを立たせても破損しない程度の強度を必要とする。また、ペット洗浄用補助器具１１の各部材の材料は錆びないものが好ましく、硬質プラスチック、アルミニウム、ジュラルミン、ステンレス、防錆塗装した鋼板などが好ましい。
【００２０】
台板１４の両側面に設けられているフレーム１５は、多数の開口１６を明けられていて、グリル状、格子状、メッシュ状などに形成されている。従って、洗い台１２の上でペットの洗浄に用いた水や洗剤は、両側面のフレーム１５の開口１６から外側へスムーズに排水され、洗い台１２の上に水や洗剤が溜まらないようなっている。一方、ペットの抜け毛やゴミ等は、フレーム１５に引っ掛かって止められるので、洗い台１２の外へ流れ出にくくなっており、ペット洗浄用補助器具１１の周囲が汚れにくい。
【００２１】
展開された洗い台１２の下面には足１８が突設されており、足１８によって洗い台１２の下面が設置場所の床面（例えば、浴室の洗い場床面）から浮いている。そのため、洗い台１２の下面と設置場所の床面との間を水が流れることができ、洗い台１２の下面に汚れが溜まったり、汚れが付着したりしにくい。また、台板１４又はフレーム１５には、取っ手１９が設けられている。図示例では、フレーム１５に取っ手１９を設けているため、台板１４の両端面に位置するフレーム１５には開口１６を設けず盲板とし、フレーム１５の強度を損ねないようにしている。但し、必要に応じて台板１４の両端面に位置するフレーム１５の全体もしくは取っ手１９の設けられていない位置に開口１６を設けても差し支えない。
【００２２】
ペット支持構造体１３は、２本の支柱２４の上端間に姿勢強制具２３を横架したものである。姿勢強制具２３はペットの胸部を下から支えてペットの前足を宙に浮かせるものであって、断面が半円状をした棒状に形成されている。姿勢強制具２３は上面が平坦面となっており、この上には断面が半円状をしたクッション材３４が接着もしくは一体成形されており、姿勢強制具２３とクッション材３４とが合わさって丸棒状になっている。なお、姿勢強制具２３を丸棒状に形成し、その表面をクッション性を有する素材で被覆してあってもよい。
【００２３】
各支柱２４は、姿勢強制具２３に上端を固定された外筒２５と、外筒２５内にスライド自在に挿入された中軸２６とから成る。中軸２６には、長さ方向に沿って複数個の孔２７が穿孔されており、外筒２５にも長さ方向に沿って複数の通し孔２８が穿孔されている。そして、中軸２６を外筒２５に抜き差しして外筒２５の適当な通し孔２８と中軸２６の適当な孔２７にピンやボルト等の留め具２９を挿入することにより、支柱２４を長さ調整することができる。
【００２４】
一方の台板１４の上面には、ペット支持構造体１３の中軸２６の下端部を嵌合させることのできる軸受２０が設けられており、軸受２０には通し孔（図示せず）が穿孔されている。そして、中軸２６の下端部を軸受２０に挿入し、軸受２０の通し孔と中軸２６の一番下の孔２７にピンやボルト等の留め具２２を挿入することにより、図２及び図３に示すように、支柱２４を軸受２０に連結して洗い台１２の上にペット支持構造体１３を立てて固定できる。
【００２５】
ペット支持構造体１３の姿勢強制具２３には、軟質プラスチックやゴム等から成るベルト状をした拘束具３０の一端が鋲３３などによって固定されており、拘束具３０の他方には一定ピッチ毎に複数個の係止孔３１が明けられている。一方、姿勢強制具２３には拘束具３０の係止孔３１を引っ掛けるための係止ピン３２が設けられている。
【００２６】
しかして、ペットＰの洗浄を行なう場合には、浴室の洗い場床面などに洗い台１２を広げて置く。但し、ペットＰの洗浄を行なう場所は浴室に限るものではなく、例えばガレージなどの屋外であってもよい。洗い台１２を広げて置いたら、支柱２４を軸受２０に連結して洗い台１２の上にペット支持構造体１３を立てる。ついで、ペットＰの大きさに合わせて支柱２４を長さ調整し、姿勢強制具２３の高さがペットＰの前足の長さよりも大きくなるようにする。この後、図３に示すように、ペットＰの胸部を姿勢強制具２３の上に載せて前足を宙に浮かせ、ペットＰに拘束具３０を巻き付けて拘束具３０の端を係止ピン３２に止める。その結果、ペットＰは姿勢強制具２３から逃げることができなくなる。
【００２７】
この状態でペットＰを水や洗剤で洗浄する。そのとき、ペットＰは前足を踏ん張ることができないので、身震いすることができず、身震いしてペットＰに付いた水や洗剤を周囲に散らすことがない。よって、飼い主が水浸しになることがない。
【００２８】
ペットＰの洗浄を終えたら、タオルでペットＰを拭いた後、拘束具３０をほどいてペットＰを解放する。
【００２９】
また、ペット洗浄用補助器具１１は、ペットＰの洗浄と同時に、あるいは洗浄後に、あるいはペットＰの洗浄とは関係なく、ペットＰをブラッシングする際にも使用することができる。ペットＰをペット洗浄用補助器具１１によって拘束しておけば、ペットＰが前足を上げた状態で静止させておくことができるので、ペットＰの腹部などをブラッシングしたり、ドライヤーを用いてペットＰの体毛の乾燥を行なったりする作業を行ない易くなる。
【００３０】
ペット洗浄用補助器具１１を使い終わったら、ペット支持構造体１３を洗い台１２から取り外して洗い台１２から分離する。洗い台１２には、ペット支持構造体１３を固定するためのベルト２１が設けられているので、洗い台１２の上面に寝かした状態で固定しておくことができる。
【００３１】
洗い台１２は略トランク状の形態を有しており、図４（ａ）（ｂ）に示すように、２つに折り畳めるようになっている。折りたたんだ状態では、ペット洗浄用補助器具１１は取っ手１９を掴んで容易に持ち運ぶことができるので、コンパクトな状態で邪魔にならない場所に収納しておくことができる。なお、図示例では、ハンドル状の取っ手１９を設けているが、台板１４に手を引っ掛けることのできる窪みを設けて取っ手１９としてもよい。
【００３２】
なお、上記実施例では、洗い台１２を折り畳んだ状態では下面が開口するので、ペット支持構造体１３が脱落しないよう、洗い台１２にベルト２１を設けたが、台板１４の四周にフレーム１５を設けて折り畳んだ洗い台１２の下面が閉じるようにすれば、ベルト２１を不要にすることができる。すなわち、この場合には、ペット支持構造体１３を単に洗い台１２内に収納するだけでよい。
【００３３】
また、図４（ｂ）の状態と上下を反対にして折り畳んだ洗い台１２の上面が開口するようにしてもよい。その場合には、ハンドル状の取っ手１９を無くして、蝶番１７側に窪み状の取っ手１９を設ければよい。このような収納形態でも、ペット支持構造体１３を洗い台１２内に放り込むだけでよいので、ベルト２１を不要にできる。
【００３４】
また、ペット支持構造体１３は、例えば折り畳み式テーブルの脚のように、洗い台１２の上面で倒すようにして折り畳まれるようになっていてもよい。
【実施例２】
【００３５】
図５は本考案の実施例２によるペット洗浄用補助器具４１を示す側面図である。ペット洗浄用補助器具４１では、２本の支柱２４の上端間に姿勢強制具２３を横架してペット支持構造体１３が構成されており、支柱２４の下端に浴槽取付部４２を設けている。浴槽取付部４２は、浴槽４４の縁を跨いで掴むような形態を有しており、ネジ式の締付け具４３を浴槽４４の縁に締付けることで浴槽４４にしっかりと固定できるようになっている。
【００３６】
しかして、浴室の洗い場４５又は浴槽４４内の床面に立たせたペットの胸部を姿勢強制具２３の上に置いて前足を宙に浮かせ、拘束具３０でペットを拘束してペットの洗浄動作を行なう。
【００３７】
このようなペット洗浄用補助器具４１によれば、実施例１のペット洗浄用補助器具１１のような洗い台１２が必要ないので、ペット洗浄用補助器具４１をよりコンパクトにすることができる。
【図面の簡単な説明】
【００３８】
【図１】図１は、本考案の実施例１によるペット洗浄用補助器具を示す平面図である。
【図２】図２は、実施例１のペット洗浄用補助器具を正面方向から見た断面図である。
【図３】図３は、実施例１のペット洗浄用補助器具を側面方向から見た断面図である。
【図４】図４（ａ）は、実施例１のペット洗浄用補助器具を折り畳んだ状態の側面図、図４（ｂ）はその断面図である。
【図５】図５は、本考案の実施例２によるペット洗浄用補助器具を示す側面図である。
【符号の説明】
【００３９】
１１      ペット洗浄用補助器具
１２      洗い台
１３      ペット支持構造体
１５      フレーム
１７      蝶番
２０      軸受
２３      姿勢強制具
２４      支柱
２９      留め具
３０      拘束具
３４      クッション材
４１      ペット洗浄用補助器具
４２      浴槽取付部
【図１】
0003123578.tif 000003
【図２】
0003123578.tif 000004
【図３】
0003123578.tif 000005
【図４】
0003123578.tif 000006
【図５】
0003123578.tif 000007